(57)【要約】    【構成】  携帯電話機（１０）はプロセッサ２４を含み、プロセッサはセレクタ５４の切り替えを制御する。通話処理では、マイク（１８）を通して入力された送話音声信号（第１送信信号）は、デジタル音声信号に変換され、プロセッサの指示の下、ＣＤＭＡ信号処理回路６０によって符号化処理および変調処理を施され、カプラ５６ａ、セレクタ、ＰＡ５２ａ、デュプレクサ５０ａおよびアンテナ１２ａを介して出力される。また、カプラ５６ａからの出力信号は、検波回路６４で電圧値に変換され、プロセッサに入力される。プロセッサは、電圧値に基づいてＰＡ５２ａの反射波の電力値を検出し、電力値が所定の閾値を超える場合には、ＰＡ５２ａを含む送信系が故障していると判断して、セレクタに切替信号を送信し、カプラの出力端Ｔ１をＰＡ５２ｂの入力端に接続する。    【効果】  送信系を切り替えることにより、確実に通話処理を実行する。【選択図】  図２
2013030836.tif 000002
【特許請求の範囲】
【請求項１】
第１アンテナと、
第２アンテナと、
前記第１アンテナに接続された第１増幅器と、
前記第２アンテナに接続された第２増幅器と、
前記第１アンテナおよび前記第２アンテナに送信信号を出力する出力部と、
前記出力部から出力された送信信号の出力先として前記第１アンテナまたは前記第２アンテナを選択する選択部と、
前記第１増幅器の入力側に配置された第１結合器と、
前記第１結合器から出力された第１信号に基づいて前記選択部の選択を制御する制御部を備える、通信端末。
【請求項２】
前記制御部は、前記出力部から出力される前記送信信号が音声信号であり、かつ前記選択部によって当該送信信号の出力先として前記第２アンテナが選択されているとき、当該選択部の選択を制御しない、請求項１記載の通信端末。
【請求項３】
前記第２増幅器の入力側に配置された第２結合器をさらに備え、
前記制御部は、前記第１信号および前記第２結合器から出力された第２信号の少なくとも一方に基づいて前記選択部の選択を制御する、請求項１または２記載の通信端末。
【請求項４】
通話中かどうかを判断する通話中判断部をさらに備え、
前記制御部は、前記出力部から出力される前記送信信号が音声信号以外の他の信号であり、前記通話中判断部によって通話中でないことが判断されたとき、当該他の信号の出力先として前記第１アンテナを選択するように前記選択部を制御する、請求項３記載の通信端末。
【請求項５】
前記送信信号は、音声信号および音声信号以外の他の信号を含み、
通話開始かどうかを判断する通話開始判断部をさらに備え、
前記制御部は、前記出力部から出力される前記他の信号の出力先として前記第１アンテナが選択されている場合に、前記通話開始判断部によって通話開始が判断されたとき、前記出力部から出力される音声信号の出力先として前記第１アンテナを選択するように前記選択部を制御する、請求項３または４記載の通信端末。
【発明の詳細な説明】
【技術分野】
【０００１】
この発明は通信端末に関し、特にたとえば、音声通話およびデータ通信を実行可能なデュアル端末として用いられる、通信端末に関する。
【背景技術】
【０００２】
この種の通信端末の一例が特許文献１に開示されている。この特許文献１のホットスタンバイ送受信システムでは、切替制御盤は切替器を制御して二つの系の受信信号の一方を選択させるとともに、切替器を制御して回線品質の良い片方の系の受信信号を選択させる。具体的には、受信レベルが低下したり、故障したりした受信機が予備の受信機に切り替えられる。また、切替制御盤は、出力制御盤を制御して、切替器で選択していない方の系の送信信号のレベルを低下させる。
【特許文献１】特開平７−２２９８９号［H04B 7/10］
【発明の概要】
【発明が解決しようとする課題】
【０００３】
しかし、特許文献１のホットスタンバイ送受信システムでは、受信レベルを監視することにより受信系の故障を検出することができるが、送信系の故障を検出するのは困難である。したがって、故障に対応することができず、送信信号を送信できない場合があった。
【０００４】
それゆえに、この発明の主たる目的は、新規な、通信端末を提供することである。
【０００５】
また、この発明の他の目的は、送信系が故障しても確実に送信信号を送信することができる、通信端末を提供することである。
【課題を解決するための手段】
【０００６】
本発明は、上記の課題を解決するために、以下の構成を採用した。なお、括弧内の参照符号および補足説明等は、本発明の理解を助けるために後述する実施の形態との対応関係を示したものであって、本発明を何ら限定するものではない。
【０００７】
第１の発明は、第１アンテナと、第２アンテナと、第１アンテナに接続された第１増幅器と、第２アンテナに接続された第２増幅器と、第１アンテナおよび第２アンテナに送信信号を出力する出力部と、出力部から出力された送信信号の出力先として第１アンテナまたは第２アンテナを選択する選択部と、第１増幅器の入力側に配置された第１結合器と、第１結合器から出力された第１信号に基づいて選択部の選択を制御する制御部を備える、通信端末である。
【０００８】
第１の発明では、通信端末（１０）は、第１アンテナ（１２ａ）と、第２アンテナ（１２ｂ）とを備える。第１アンテナには、第１増幅器（５２ａ）が接続され、第２アンテナには、第２増幅器（５２ｂ）が接続される。出力部（２４、５８）は、第１アンテナおよび第２アンテナに送信信号を出力する。選択部（２４、５４）は、出力部から出力された送信信号の出力先として第１アンテナまたは第２アンテナを選択する。第１結合器（５６ａ）は、第１増幅器の入力側に配置される。制御部（２４、Ｓ５、Ｓ３９、Ｓ５５）は、第１結合器から出力された第１信号に基づいて選択部の選択を制御する。たとえば、第１信号に基づいて第１増幅器の故障を検出して、送信信号の出力先として第２アンテナを選択する。
【０００９】
第１の発明によれば、第１増幅器を含む送信系の故障を検出すると、送信系を切り替えることにより、送信信号を出力するので、確実に送信信号を送信することができる。
【００１０】
第２の発明は、第１の発明に従属し、制御部は、出力部から出力される送信信号が音声信号であり、かつ選択部によって当該送信信号の出力先として第２アンテナが選択されているとき、当該選択部の選択を制御しない。
【００１１】
第２の発明では、制御部は、出力部から出力される送信信号が音声信号であり、かつ選択部によって当該送信信号の出力先として第２アンテナが選択されているとき（Ｓ７で“ＮＯ”）、当該選択部の選択を制御しない。つまり、第１増幅器を含む送信系が故障している場合に、第２増幅器を含む送信系が選択されている場合に、通話により、音声信号が送信されている場合には、出力先の選択は制御されない。したがって、音声による通話が優先される。
【００１２】
第２の発明によれば、音声による通話が優先されるので、確実に通話処理を実行することができる。
【００１３】
第３の発明は、第１または第２の発明に従属し、第２増幅器の入力側に配置された第２結合器をさらに備え、制御部は、第１信号および第２結合器から出力された第２信号の少なくとも一方に基づいて選択部の選択を制御する。
【００１４】
第３の発明では、通信端末は、第２増幅器の入力側に配置された第２結合器（５６ｂ）をさらに備える。制御部は、第１信号および第２結合器から出力された第２信号の少なくとも一方に基づいて選択部の選択を制御する。
【００１５】
第３の発明によれば、第２信号に基づいて第２増幅器を含む送信系の故障を検出した場合には、送信信号の出力先として第１アンテナを選択することができる。
【００１６】
第４の発明は、第３の発明に従属し、通話中かどうかを判断する通話中判断部をさらに備え、制御部は、出力部から出力される送信信号が音声信号以外の他の信号であるとき、通話中判断部によって通話中でないことが判断されたとき、当該他の信号の出力先として第１アンテナを選択するように選択部を制御する。
【００１７】
第４の発明では、通信端末は、通話中判断部（２４、Ｓ５３）をさらに備える。通話中判断部は、通話中かどうか、すなわち通話処理の実行中であるかどうかを判断する。制御部は、出力部から出力される送信信号が音声信号以外の他の信号であり、通話中判断部によって通話中でないことが判断されたとき（Ｓ５３で“ＮＯ”）、当該他の信号の出力先として第１アンテナを選択するように選択部を制御する。
【００１８】
第４の発明によれば、第２増幅器を含む送信系が故障した場合に、通話中でなければ、送信系を切り替えて、第１アンテナから他の信号を送信することができる。ただし、通話中であれば、送信系を切り替えないので、通話を優先することができる。
【００１９】
第５の発明は、第３または第４の発明に従属し、送信信号は、音声信号および音声信号以外の他の信号を含み、通話開始かどうかを判断する通話開始判断部をさらに備え、制御部は、出力部から出力される他の信号の出力先として第１アンテナが選択されている場合に、通話開始判断部によって通話開始が判断されたとき、出力部から出力される音声信号の出力先として第１アンテナを選択するように選択部を制御する。
【００２０】
第５の発明では、送信信号は、音声信号および音声信号以外の他の信号を含む。つまり、音声通話とデータ通信とが実行される。携帯端末は、通話開始判断部（２４、Ｓ５９）をさらに備える。通話開始判断部は、通話開始かどうかを判断する。制御部は、出力部から出力される他の信号の出力先として第１アンテナが選択されている場合に、通話開始判断部によって通話開始が判断されたとき（Ｓ５９で“ＹＥＳ”）、出力部から出力される音声信号の出力先として第１アンテナを選択するように選択部を制御する。つまり、第１アンテナを用いてデータ通信による他の信号を送信している場合であっても、通話が開始されると、優先して音声信号が第１アンテナから出力される。
【００２１】
第５の発明においても、第４の発明と同様に、通話を優先することができる。
【発明の効果】
【００２２】
この発明によれば、第１増幅器の入力側に結合器を配置するので、第１増幅器を含む送信系の故障を検出することができ、送信系を切り替えて第２増幅器を用いることにより、確実に送信信号を送信することができる。
【００２３】
この発明の上述の目的，その他の目的，特徴および利点は、図面を参照して行う以下の実施例の詳細な説明から一層明らかとなろう。
【図面の簡単な説明】
【００２４】
【図１】図１はこの発明の一実施例の携帯電話機の電気的な構成を示すブロック図である。
【図２】図２は図１に示す無線通信回路の具体的な構成の一例を示すブロック図である。
【図３】図３は図１に示すＲＡＭのメモリマップの一例を示す図解図である。
【図４】図４は図１に示すプロセッサの選択処理を示すフロー図である。
【図５】図５は他の実施例の無線通信回路の具体的な構成の他の例を示すブロック図である。
【図６】図６は他の実施例のプロセッサの選択処理の一部を示すフロー図である。
【図７】図７は他の実施例のプロセッサの選択処理の他の一部であって、図６に後続するフロー図である。
【発明を実施するための形態】
【００２５】
＜第１実施例＞
図１を参照して、この第１実施例の携帯電話機１０は、通信端末の一種であり、コンピュータまたはＣＰＵと呼ばれるプロセッサ２４を含む。プロセッサ２４には、無線通信回路１４、Ａ／Ｄ変換器１６、Ｄ／Ａ変換器２０、キー入力装置２６、表示ドライバ２８、フラッシュメモリ３２およびＲＡＭ３４が接続される。無線通信回路１４にはアンテナ１２ａおよびアンテナ１２ｂが接続される。また、Ａ／Ｄ変換器１６にはマイク１８が接続され、Ｄ／Ａ変換器２０にはスピーカ２２が接続される。さらに、表示ドライバ２８には、ディスプレイ３０が接続される。
【００２６】
プロセッサ２４は携帯電話機１０の全体制御を司る。ＲＡＭ３４は、プロセッサ２４の作業領域（描画領域を含む）ないしバッファ領域として用いられる。フラッシュメモリ３２には、携帯電話機１０の文字、画像、音声、音および映像のようなコンテンツのデータが記録される。
【００２７】
Ａ／Ｄ変換器１６は、マイク１８を通して入力される音声ないし音についてのアナログ音声信号を、デジタル音声信号に変換する。Ｄ／Ａ変換器２０は、デジタル音声信号をアナログ音声信号に変換（復号）して、図示しないアンプを介してスピーカ２２に与える。したがって、アナログ音声信号に対応する音声ないし音がスピーカ２２から出力される。なお、プロセッサ２４は、アンプの増幅率を制御することで、スピーカ２２から出力される音声の音量を調整することができる。
【００２８】
キー入力装置２６は、テキストを入力するための文字キーや、カーソルキー、通話キーおよび終話キーなどを備える。使用者が操作したキーの情報（キーデータ）はプロセッサ２４に入力される。また、キー入力装置２６に含まれる各キーが操作されると、クリック音が鳴る。したがって、使用者は、クリック音を聞くことで、キー操作に対する操作感を得ることができる。
【００２９】
表示ドライバ２８は、プロセッサ２４の指示の下、ディスプレイ３０の表示を制御する。また、表示ドライバ２８は、ディスプレイ３０に表示する画像ないし画面に対応する表示画像データを一時的に記憶するビデオメモリ（図示せず）を含む。
【００３０】
無線通信回路１４は、ＣＤＭＡ（Ｃｏｄｅ  Ｄｉｖｉｓｉｏｎ  Ｍｕｌｔｉｐｌｅ  Ａｃｃｅｓｓ）方式およびＬＴＥ（Ｌｏｎｇ  Ｔｅｒｍ  Ｅｖｏｌｕｔｉｏｎ）方式での無線通信を行うための回路である。つまり、この第１実施例の携帯電話機１０は、ＣＤＭＡ方式およびＬＴＥ方式で通信可能なデュアル端末であり、ＣＤＭＡ方式で音声通話（音声通信）を行い、ＬＴＥ方式でデータ通信を行う。この第１実施例では、ＣＤＭＡ方式およびＬＴＥ方式で通信されるのは、１９００ＭＨｚ帯のデータないし信号である。ただし、周波数帯は単なる一例であり、限定されるべきない。
【００３１】
たとえば、使用者がキー入力装置２６を用いて電話発信（発呼）を指示すると、無線通信回路１４は、プロセッサ２４の指示の下、電話発信処理を実行し、アンテナ１２ａを介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００３２】
通常の通話処理について具体的に説明すると、相手の電話機から送られてきた変調音声信号（以下、「第１受信信号」という。）はアンテナ１２ａによって受信される。受信された第１受信信号には、無線通信回路１４によって復調処理および復号処理が施される。そして、これらの処理によって得られた受話音声信号は、プロセッサ２４を介してＤ／Ａ変換器２０に与えられ、Ｄ／Ａ変換器２０によってアナログ音声信号に変換された後、スピーカ２２から出力される。一方、マイク１８を通して取り込まれた送話音声信号（以下、「第１送信信号」という。）は、Ａ／Ｄ変換器１６によってデジタル音声信号に変換された後、プロセッサ２４に与えられる。デジタル音声信号に変換された第１送信信号には、プロセッサ２４の指示の下、無線通信回路１４によって符号化処理および変調処理が施され、アンテナ１２ａを介して出力される。したがって、変調音声信号は、基地局および通信網を介して相手の電話機に送信される。
【００３３】
また、相手の電話機からの電話発信信号がアンテナ１２ａによって受信されると、無線通信回路１４は、電話着信（着呼）をプロセッサ２４に通知する。これに応じて、プロセッサ２４は、表示ドライバ２８を制御して、着信通知に記述された発信元情報（電話番号など）をディスプレイ３０に表示する。また、これとほぼ同時に、プロセッサ２４は、図示しないスピーカから着信音（着信メロディ、着信音声と言うこともある。）を出力させる。
【００３４】
そして、使用者が通話キーを用いて応答操作を行うと、無線通信回路１４は、プロセッサ２４の指示の下、電話着信処理を実行する。さらに、通信可能状態が確立され、プロセッサ２４は上述した通常の通話処理を実行する。
【００３５】
また、通話可能状態に移行した後に終話キーによって通話終了操作が行われると、プロセッサ２４は、無線通信回路１４を制御して、通話相手に通話終了信号を送信する。そして、通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００３６】
データ通信処理について具体的に説明すると、相手の電話機またはコンピュータ（サーバを含む。以下、同じ。）から送られてきたデータ（以下、「第２受信信号」という。）はアンテナ１２ｂによって受信される。第２受信信号には、無線通信回路１４によって復調処理および復号処理が施される。そして、これらの処理が施された第２受信信号は、プロセッサ２４に与えられ、プロセッサ２４の指示に従ってフラッシュメモリ３２またはＲＡＭ３４に記憶される。一方、フラッシュメモリ３２またはＲＡＭ３４から読み出されたデータ（以下、「第２送信信号」という。）は、プロセッサ２４の指示の下、無線通信回路１４によって符号化処理および変調処理が施され、アンテナ１２ｂを介して出力される。したがって、第２送信信号は、基地局および通信網を介して相手の電話機またはコンピュータに送信される。
【００３７】
また、相手の電話機またはコンピュータからの第２受信信号がアンテナ１２ｂによって受信されると、無線通信回路１４は、データ受信をプロセッサ２４に通知する。これに応じて、プロセッサ２４は、表示ドライバ２８を制御して、第２受信信号を受信した旨のメッセージをディスプレイ３０に表示する。また、これとほぼ同時に、プロセッサ２４は、図示しないスピーカから受信音（受信メロディ、受信音声と言うこともある。）を出力させる。
【００３８】
なお、詳細な説明は省略するが、第２送信信号および第２受信信号は、通話処理で送受信される音声信号とは異なる信号（データ）であり、典型的には、電子メールのデータ、画像や音楽などのコンテンツについてのデータ、キー入力装置２６からのキーデータなどである。
【００３９】
図２は図１に示す無線通信回路１４の具体的な構成を示すブロック図である。図２に示すように、無線通信回路１４は、デュプレクサ５０ａおよびデュプレクサ５０ｂを含む。デュプレクサ５０ａには、図１に示したアンテナ１２ａが接続されるとともに、パワーアンプ（以下、「ＰＡ」という。）５２ａの出力端が接続される。また、デュプレクサ５０ａと高周波回路（第１実施例では、「ＲＦＩＣ」）５８の内部に設けられるＣＤＭＡ信号処理回路６０とが接続される。また、ＰＡ５２ａの入力端は、セレクタ５４を介してカプラ５６ａの出力端Ｔ１に接続される。また、カプラ５６ａの出力端Ｔ２は、ＲＦＩＣ５８の内部に設けられる検波回路６４に接続される。さらに、カプラ５６ａの出力端Ｔ３は、終端抵抗Ｒ１を介して接地される。また、カプラ５６ａの入力端は、ＣＤＭＡ信号処理回路６０に接続される。さらに、ＣＤＭＡ信号処理回路６０および検波回路６４は、それぞれ、プロセッサ２４に接続される。
【００４０】
デュプレクサ５０ｂには、図１に示したアンテナ１２ｂが接続されるとともに、ＰＡ５２ｂの出力端が接続される。また、デュプレクサ５０ｂとＲＦＩＣ５８の内部に設けられるＬＴＥ信号処理回路６２とが接続される。また、ＰＡ５２ｂの入力端は、セレクタ５４を介して、ＬＴＥ信号処理回路６２の出力端Ｔ１１に接続される。
【００４１】
デュプレクサ５０ａ（５０ｂも同様である。）は、アンテナ１２ａから送信される送信信号と、アンテナ１２ａから受信される受信信号の周波数領域を分離するフィルタ素子である。アンテナ１２ａで受信されたＣＤＭＡ信号（第１実施例では、第１受信信号）は、無線通信回路１４内部のＣＤＭＡ信号処理回路６０によって復調処理および復号処理を施され、プロセッサ２４に与られる。
【００４２】
一方、プロセッサ２４から送信されるデジタルのＣＤＭＡ信号（第１実施例では、第１送話信号）には、ＣＤＭＡ信号処理回路６０によって符号化処理および変調処理を施され、カプラ５６ａを介してセレクタ５４に与えられる。セレクタ５４は、プロセッサ２４からの切替信号に従って、カプラ５６ａの出力端Ｔ１をＰＡ５２ａの入力端またはＰＡ５２ｂの入力端に接続する。通常、カプラ５６ａの出力端Ｔ１はＰＡ５２ａの入力端に接続され、ＬＴＥ信号処理回路６２の出力端Ｔ１１はＰＡ５２ｂの入力端に接続される。したがって、第１送信信号は、ＰＡ５２ａに入力され、ＰＡ５２ａでは、第１送信信号が増幅され、増幅された第１送信信号がデュプレクサ５０ａを介してアンテナ１２ａから送信（出力）される。
【００４３】
同様に、アンテナ１２ｂで受信されたＬＴＥ信号（第１実施例では、第２受信信号）は、無線通信回路１４内部のＬＴＥ信号処理回路６２によって復調処理および復号処理を施され、プロセッサ２４に与えられる。
【００４４】
一方、プロセッサ２４から送信されるＬＴＥ信号（第１実施例では、第２送信信号）には、ＬＴＥ信号処理回路６２によって符号化処理および変調処理を施され、セレクタ５４に与えられる。通常、セレクタ５４は、ＬＴＥ信号処理回路６２の出力端子Ｔ１１から出力される第２送信信号を、ＰＡ５２ｂに与える。ＰＡ５２ｂでは、第２送信信号が増幅され、増幅された第２送信信号がデュプレクサ５０ｂを介してアンテナ１２ｂから出力される。
【００４５】
また、カプラ５６ａの出力端Ｔ２から出力された出力信号は、ＲＦＩＣ５８内の検波回路６４に与えられる。検波回路６４では、出力信号を電圧値に変換し、変換された電圧値のデータをプロセッサ２４に与える。通常、出力端子Ｔ１１はＰＡ５２ｂの入力端に接続されるため、この電圧値に基づいて、プロセッサ２４は、ＰＡ５２ａの反射波の電力値（以下、「電力値Ａ」という。）を検出する。プロセッサ２４は、検出した反射波の電力値Ａが所定の閾値を超える場合には、ＰＡ５２ａが故障していると判断する。ただし、アンテナ１２ａの負荷変動によって、反射波の電力値Ａが所定の閾値を超える場合もあり、厳密には、ＰＡ５２ａを含む送信系が故障していると判断する。以下、ＰＡが故障していると判断する場合について同様である。
【００４６】
なお、所定の閾値は実験等で決定される経験値であり、開発者等が設定する値である。また、図示は省略するが、電圧値の範囲に対応して電力値を記載したテーブル（電力値変換テーブル）が記憶されており、プロセッサ２４は、この電力値変換テーブルを参照して電力値を決定（検出）する。
【００４７】
プロセッサ２４は、ＰＡ５２ａが故障していると判断すると、セレクタ５４に切替信号を送信し、カプラ５６ａの出力端Ｔ１をＰＡ５２ｂの入力端に接続する。つまり、送信系を切り替える。したがって、カプラ５６ａの出力端Ｔ１から出力される第１送信信号は、ＰＡ５２ｂで増幅され、デュプレクサ５０ｂを介して、アンテナ１２ｂから出力される。このため、ＰＡ５２ａが故障した場合であっても、使用者の音声信号を通話相手の電話機に送信することができる。つまり、通話処理を確実に実行することができるのである。
【００４８】
ただし、プロセッサ２４は、検出した反射波の電力値Ａが所定の閾値以下である場合には、ＰＡ５２ａが故障していないと判断する。かかる場合には、セレクタ５４は切り替えられないため、カプラ５６ａの出力端Ｔ１はＰＡ５２ａの入力端に接続されたままであり、ＬＴＥ信号処理回路６２の出力端はＰＡ５２ｂの入力端に接続されたままである。
【００４９】
また、詳細な説明は省略するが、ＰＡ５２ａが故障している場合には、通話処理中においては、たとえば、データ通信の開始が指示されるなどにより、データ通信のタイミングになったとしても、セレクタ５４を切り替えないようにしてある。これは、音声通話を優先するためである。
【００５０】
このため、ＰＡ５２ａが故障している状態で、通話処理が実行されている場合には、ＬＴＥ信号処理回路６２を用いたデータ通信（ＬＴＥ信号の送受信）は行われない。したがって、ＰＡ５２ａが故障している場合には、なるべく早く修理に出すべき旨のメッセージをディプレイ３０に表示したり、その旨を示す音（メロディ、音楽）を図示しないスピーカから出力したりすることにより、使用者に報知するようにしてある。
【００５１】
また、ＰＡ５２ａが故障し、カプラ５６ａの出力端Ｔ１がＰＡ５２ｂの入力端に接続されている場合にも、カプラ５６ａの出力端Ｔ２からの出力信号は検波回路６４に与えられる。したがって、かかる場合には、プロセッサ２４は、検波回路６４からの電圧値のデータに基づいて、ＰＡ５２ｂの反射波の電力値（以下、「電力値Ｂ」という。）が検出される。プロセッサ２４は、検出した反射波の電力値Ｂが所定の閾値を超える場合には、ＰＡ５２ｂが故障していると判断する。
【００５２】
ＰＡ５２ｂが故障していると判断され場合には、ＰＡ５２ａおよびＰＡ５２ｂの両方が故障であることを意味する。かかる場合には、音声通話およびデータ通信を実行できないため、音声通話ができない旨および修理に出すべき旨のメッセージをディプレイ３０に表示したり、その旨を示す音（メロディ、音楽）を図示しないスピーカから出力したりすることにより、使用者に報知する。
【００５３】
図３は、図１に示したＲＡＭ３４のメモリマップの一例を示す図解図である。図３に示すように、ＲＡＭ３４は、プログラム記憶領域３４０およびデータ記憶領域３４２を含む。プログラム記憶領域３４０には、通話プログラム３４０ａ、通信プログラム３４０ｂ、電力値検出プログラム３４０ｃおよび選択プログラム３４０ｄなどが記憶される。
【００５４】
通話プログラム３４０ａは、通常の通話処理を実行するためのプログラムである。通信プログラム３４０ｂは、他の電話機またはコンピュータと通信するためのプログラムである。電力値検出プログラム３４０ｃは、検波回路６４から送信される電圧値のデータに基づいて、ＰＡ５２ａの反射波の電力値ＡまたはＰＢ５２ｂの反射波の電力値Ｂを検出するためのプログラムである。ただし、電力値検出プログラム３４０ｃは、電力値変換テーブルデータ３４２ｂに対応する電力値変換テーブルを参照して、電力値ＡまたはＢを決定する。選択プログラム３４０ｄは、ＣＤＭＡ信号すなわち第１送信信号の出力先を選択するためのプログラムであり、具体的には、セレクタ５４の切り替えを制御する。
【００５５】
図示は省略するが、プログラム記憶領域３４０には、携帯電話機１０が備える機能（電子メール、アラーム、スケジュールなど）を実行するためのプログラムも記憶される。
【００５６】
データ記憶領域３４２には、電圧値データバッファ３４２ａが設けられる。電圧値データバッファ３４２ａには、検波回路６４からプロセッサ２４に与えられる電圧値のデータが時系列に従って記憶（一時記憶）される。また、データ記憶領域３４２には、電力値変換テーブルデータ３４２ｂが記憶される。電力値変換テーブルデータ３４２ｂは、電力値変換テーブルのデータであり、電圧値データバッファ３４２ａに記憶された電圧値のデータに対応する電圧値を電力値に変換するために用いられる。したがって、電圧値からＰＡ５２ａの電力値ＡまたはＰＢ５２ｂの電力値Ｂが決定（検出）される。
【００５７】
図示は省略するが、データ記憶領域３４２には、携帯電話機１０のプログラムの実行に必要な、他のデータが記憶されたり、カウンタ（タイマ）またはフラグが設けられたりする。
【００５８】
具体的には、図１に示したプロセッサ２４が図４に示すような選択処理を実行する。図示は省略するが、通話処理やデータ通信処理は、選択処理とは異なるタスクで並列的に実行されている。
【００５９】
なお、図４に示す選択処理が開始される前では、セレクタ５４によって、カプラ５６ａの出力端Ｔ１はＰＡ５２ａの入力端に接続され、ＬＴＥ信号処理回路６２の出力端Ｔ１１はＰＡ５２ｂの入力端に接続される。
【００６０】
図４に示すように、プロセッサ２４は、選択処理を開始すると、ステップＳ１で、電力値Ａを検出する。つまり、プロセッサ２４は、検波回路６４から出力される電圧値のデータに基づいて、ＰＡ５２ａの反射波の電力値Ａを検出する。
【００６１】
なお、図示は省略するが、検波回路６４からの電圧値のデータを検出する処理が別のタスクで実行されており、この処理で検出された電圧値のデータが電圧値データバッファ３４２ａに記憶される。したがって、プロセッサ２４は、電圧値データバッファ３４２ａを参照して、電圧値のデータに基づく電力値Ａを検出する。以下、電力値Ｂを検出する場合も同様である。
【００６２】
次のステップＳ３では、電力値Ａが所定の閾値を超えているかどうかを判断する。ステップＳ３で“ＮＯ”であれば、つまり電力値Ａが所定の閾値以下である場合には、そのままステップＳ１に戻る。
【００６３】
一方、ステップＳ３で“ＹＥＳ”であれば、つまり電力値Ａが所定の閾値を超える場合には、ＰＡ５２ａが故障していると判断して、ステップＳ５で、カプラ５６ａの出力端Ｔ１をＰＡ５２ｂの入力端側に接続する切替信号をセレクタ５４に出力する。したがって、セレクタ５４では、カプラ５６ａの出力端Ｔ１がＰＡ５２ｂの入力端に接続される。次のステップＳ７では、通話終了かどうかを判断する。ここでは、プロセッサ２４は、キー入力装置２６の終話キーがオンされたり、通話相手の電話機からの通話終了信号を受信したりしたかどうかを判断する。
【００６４】
ステップＳ７で“ＹＥＳ”であれば、つまり通話終了であれば、ステップＳ９で、ＬＴＥ信号処理回路６２の出力端Ｔ１１をＰＡ５２ｂの入力端に接続する切替信号をセレクタ５４に出力する。そして、ステップＳ１１で、修理すべきことを報知して、ステップＳ１に戻る。上述したように、ステップＳ１１では、プロセッサ２４は、なるべく早く修理に出すべき旨のメッセージをディスプレイ３０に表示したり、その旨を示す音を図示しないスピーカから出力したりする。
【００６５】
一方、ステップＳ７で“ＮＯ”であれば、つまり通話終了でなければ、ステップＳ１３で、電力値Ｂを検出する。つまり、プロセッサ２４は、検波回路６４から出力される電圧値のデータに基づいて、ＰＡ５２ｂの反射波の電力値Ｂを検出する。次のステップＳ１５では、電力値Ｂが所定値よりも大きいかどうかを判断する。
【００６６】
ステップＳ１５で“ＮＯ”であれば、つまり電力値Ｂが所定の閾値以下であれば、そのままステップＳ７に戻る。一方、ステップＳ１５で“ＹＥＳ”であれば、つまり電力値Ｂが所定の閾値を超えている場合には、ＰＡ５２ｂも故障していると判断して、ステップＳ１７で、通話出来ないことと、修理に出すべきことを報知して、選択処理を終了する。上述したように、ステップＳ１７では、プロセッサ２４は、通話出来ない旨および修理に出すべき旨のメッセージをディスプレイ３０に表示したり、その旨を示す音を図示しないスピーカから出力したりする。
【００６７】
第１実施例によれば、カプラをパワーアンプの入力端側に配置するので、このパワーアンプの故障を検出することができる。つまり、送信系の故障を確実に検出することができる。したがって、送信系を切り替えることにより、確実に音声通話に実行することができる。
＜第２実施例＞
図５に示すように、第２実施例の携帯電話機１０では、無線通信回路１４において、セレクタ５４と、ＬＴＥ信号処理回路６２および検波回路６４との間に、さらにカプラ５６ｂを設けるようにした以外は、上述の第１実施例と同様であるため、重複した説明は省略する。
【００６８】
図５に示すように、カプラ５６ｂの入力端には、ＬＴＥ信号処理回路６２の出力端Ｔ１１が接続される。カプラ５６ｂの出力端Ｔ４はセレクタ５４に接続される。カプラ５６ｂの出力端Ｔ５は、検波回路６４に接続される。また、カプラ５６ｂの出力端Ｔ６は、終端抵抗Ｒ２を介して接地される。
【００６９】
したがって、第２実施例では、カプラ５６ｂの出力端Ｔ５から出力された出力信号も、検波回路６４に入力される。検波回路６４では、カプラ５６ｂからの出力信号を電圧値に変換し、変換した電圧値のデータをプロセッサ２４に与える。通常は、カプラ５６ｂの出力端子Ｔ４はＰＡ５２ｂの入力端に接続されるため、プロセッサ２４は、ＰＡ５２ｂの反射波の電力値Ｂを検出する。プロセッサ２４は、検出したＰＡ５２ｂの反射波の電力値Ｂが所定の閾値を超える場合には、ＰＡ５２ｂが故障していると判断する。
【００７０】
また、第２実施例では、セレクタ５４は、プロセッサ２４からの切替信号に従って、カプラ５６ｂの出力端Ｔ４をＰＡ５２ａの入力端に接続することが可能である。したがって、プロセッサ２４は、ＰＡ５２ｂが故障していると判断すると、セレクタ５４に、カプラ５６ｂの出力端Ｔ４をＰＡ５２ａの入力端に接続する切替信号を出力する。
【００７１】
ただし、音声通話が行われている場合には、ＰＡ５２ｂが故障し、データ通信を実行するタイミングになったとしても、プロセッサ２４は切替信号を出力せずに、音声通話を継続する。また、ＰＡ５２ｂが故障し、カプラ５６ｂの出力端Ｔ４がＰＡ５２ａの入力端に接続され、データ通信が行われている場合に、音声通話（通話処理）が開始されると、セレクタ５４は切り替えられ、カプラ５６ａの出力端Ｔ１がＰＡ５２ａの入力端に接続される。つまり、第１実施例と同様に、音声通話が優先されるのである。
【００７２】
図６および図７は、第２実施例のプロセッサ２４の選択処理のフロー図である。以下、第２実施例の選択処理について説明するが、第１実施例で説明した処理と同じ処理については簡単に説明することにする。
【００７３】
図６に示すように、プロセッサ２４は、選択処理を開始すると、ステップＳ３１で、電力値Ａおよび電力値Ｂを検出する。つまり、プロセッサ２４は、ＰＡ５２ａの反射波の電力値Ａと、ＰＡ５２ｂの反射波の電力値Ｂとを検出する。次のステップＳ３３では、電力値Ａが所定の閾値を超えているかどうかを判断する。
【００７４】
ステップＳ３３で“ＮＯ”であれば、そのまま図７に示すステップＳ５１に進む。一方、ステップＳ３３で“ＹＥＳ”であれば、ＰＡ５２ａが故障していると判断して、ステップＳ３５で、電力値Ｂが所定の閾値を超えているかどうかを判断する。ステップＳ３５で“ＹＥＳ”であれば、ＰＡ５２ｂも故障していると判断して、ステップ３７で、通話出来ないことと、修理すべきことを報知して、選択処理を終了する。
【００７５】
一方、ステップＳ３５で“ＮＯ”であれば、ステップＳ３９で、カプラ５６ａの出力端Ｔ１をＰＡ５２ｂの入力端に接続する切替信号をセレクタ５４に出力する。続くステップＳ４１では、通話終了かどうかを判断する。ステップＳ４１で“ＹＥＳ”であれば、ステップＳ４３で、ＬＴＥ信号処理回路６２の出力端Ｔ１１をＰＡ５２ｂの入力端に接続する切替信号をセレクタ５４に出力し、ステップＳ４５で、修理するべきことを報知して、ステップＳ３１に戻る。
【００７６】
また、ステップＳ４１で“ＮＯ”であれば、ステップＳ４７で、電力値Ｂを検出する。そして、ステップＳ４９で、電力値Ｂが所定の閾値を超えているかどうかを判断する。ステップＳ４９で“ＹＥＳ”であれば、ＰＡ５２ｂも故障したと判断して、ステップＳ３７に進む。一方、ステップＳ４９で“ＮＯ”であれば、ステップＳ４１に戻る。
【００７７】
図７に示すように、ステップＳ５１では、電力値Ｂが所定の閾値を超えたかどうかを判断する。ステップＳ５１で“ＮＯ”であれば、そのまま図６に示したステップＳ３１に戻る。一方、ステップＳ５１で“ＹＥＳ”であれば、ＰＡ５２ｂが故障していると判断して、ステップＳ５３で、通話中かどうかを判断する。ここでは、プロセッサ２４は、他のタスクで通話処理を実行中であるかどうかを判断するのである。
【００７８】
ステップＳ５３で“ＹＥＳ”であれば、つまり通話中であれば、そのままステップＳ３１に戻る。つまり、音声通話が優先される。一方、ステップＳ５３で“ＮＯ”であれば、つまり通話中でなければ、ステップＳ５５で、カプラ５６ｂの出力端Ｔ４をＰＡ５２ａの入力端に接続する切替信号をセレクタ５４に出力する。次のステップＳ５７では、データ通信を終了したかどうかを判断する。ここでは、プロセッサ２４は、他のタスクで実行中のデータ通信処理を終了したかどうかを判断する。
【００７９】
ステップＳ５７で“ＹＥＳ”であれば、つまりデータ通信の終了であれば、後述するステップＳ６５に進む。一方、ステップＳ５７で“ＮＯ”であれば、つまりデータ通信の実行中であれば、ステップＳ５９で、通話開始かどうかを判断する。ここでは、プロセッサ２４は、別のタスクで通話処理が開始されたかどうかを判断する。
【００８０】
ステップＳ５９で“ＮＯ”であれば、つまり通話開始でなければ、ステップＳ６１で、電力値Ａを検出する。そして、ステップＳ６３で、電力値Ａが所定の閾値を超えたかどうかを判断する。ステップＳ６３で“ＮＯ”であれば、そのままステップＳ５５に戻る。一方、ステップＳ６３で“ＹＥＳ”であれば、ＰＡ５２ａも故障すれば、図６に示したステップＳ３７に進む。
【００８１】
一方、ステップＳ５９で“ＹＥＳ”であれば、つまり通話開始であれば、ステップＳ６５で、カプラ５６ａの出力端Ｔ１をＰＡ５２ａの入力端に接続する切替信号をセレクタ５４に出力する。つまり、データ通信中であっても、通話処理が優先される。そして、ステップＳ６７で、修理するべきことを報知して、ステップＳ３１に戻る。
【００８２】
第２実施例においても、第１実施例と同様に、音声通話の送信系のパワーアンプの入力端側にカプラを配置するので、このパワーアンプを含む送信系の故障を容易に検出することができる。したがって、送信系を切り替えることにより、確実に音声通話を実行することができる。
【００８３】
また、第２実施例では、データ通信についての送信系のパワーアンプの入力端側にもカプラを設けるので、このパワーアンプを含む送信系が故障した場合には、送信系を切り替えることにより、確実にデータ通信を実行することができる。
【００８４】
なお、上述の実施例では、ＣＤＭＡ方式で音声通話の処理を実行し、ＬＴＥ方式でデータ通信の処理を実行するようにしたが、これらは単なる一例であり、限定されるべきでない。たとえば、Ｗ−ＣＤＭＡ方式、ＧＳＭ方式、ＴＤＭＡ方式、ＦＤＭＡ方式およびＰＨＳ方式のような他の方式を採用することもできるが、この実施例では、送信系を切り替えるようにするため、音声通話とデータ通信とは同じ周波数帯に設定する必要がある。
【００８５】
また、以上の説明で挙げた具体的な数値は、いずれも単なる一例であり、製品の仕様などの必要に応じて適宜変更可能である。
【符号の説明】
【００８６】
１０  …携帯電話機
１４  …無線通信回路
１８  …マイク
２２  …スピーカ
２４  …プロセッサ
２６  …キー入力装置
２８  …表示ドライバ
３０  …ディスプレイ
３２  …フラッシュメモリ
３４  …ＲＡＭ
５０ａ，５０ｂ  …デュプレクサ
５２ａ，５２ｂ  …パワーアンプ
５４  …セレクタ
５６ａ，５６ｂ  …カプラ
５８  …ＲＦＩＣ
【図１】
2013030836.tif 000003
【図２】
2013030836.tif 000004
【図３】
2013030836.tif 000005
【図４】
2013030836.tif 000006
【図５】
2013030836.tif 000007
【図６】
2013030836.tif 000008
【図７】
2013030836.tif 000009